(57)【要約】【課題】  使用者にとってより使いやすい容器を提供すること。【解決手段】  収容空間８４が形成された容器本体７１と、収容空間８４につながる、収容空間８４に収容された収容物８６の通過路７３と、を備え、容器本体７１は、収容空間８４に対し容器本体７１の高さ方向Ｚ上側に位置する天面８４１を有し、天面８４１は、収容空間８４を規定し、高さ方向Ｚに沿って延びる容器本体７１の軸線Ｏｘが鉛直方向に対し傾いた場合に、自力で、軸線Ｏｘが鉛直方向に一致する直立姿勢まで起き上がる。【選択図】  図４
2014147403.tif 000002
【特許請求の範囲】
【請求項１】
収容空間が形成された容器本体と、
前記収容空間につながる、前記収容空間に収容された収容物の通過路と、を備え、
前記容器本体は、前記収容空間に対し前記容器本体の高さ方向上側に位置する天面を有し、前記天面は、前記収容空間を規定し、
前記高さ方向に沿って延びる前記容器本体の軸線が鉛直方向に対し傾いた場合に、自力で、前記軸線が鉛直方向に一致する直立姿勢まで起き上がる、容器。
【請求項２】
前記鉛直方向以外のいずれの方向に前記軸線が傾いている場合であっても、自力で、前記直立姿勢まで起き上がる、請求項１に記載の容器。
【請求項３】
前記容器本体は、球面状の外底面を有し、且つ、前記底面から凹む凹部が形成されており、
前記容器本体は、前記凹部を構成する材料よりも比重の大きい材料よりなる重りを含み
前記重りは、前記凹部に配置されている、請求項１または請求項２に記載の容器。
【請求項４】
前記重りは、第１位置にて前記凹部に固定された第１状態と、第２位置にて前記凹部に固定された第２状態と、をとり、
前記第２位置は、前記第１位置よりも前記高さ方向上側に位置している、請求項３に記載の容器。
【請求項５】
前記凹部の縁は、前記容器本体において、最も前記高さ方向下側に位置している、請求項３に記載の容器。
【請求項６】
前記重りは、前記第１状態であるとき、前記凹部から突出していない、請求項４または請求項５に記載の容器。
【請求項７】
前記容器本体は、前記天面を構成し且つ前記通過路が形成された蓋体を含み、
前記蓋体は、交換可能である、請求項１に記載の容器。
【請求項８】
前記収容物は液体であり、
鉛直方向に対し前記容器本体を傾けた場合に、前記容器本体を傾けた方向に向かって、前記収容物を注ぎ出す注ぎ口を更に備え、
前記注ぎ口は、前記容器本体の高さ方向視において、少なくとも３つの方向に向かって開口しており、
前記３つの方向はそれぞれ、前記高さ方向に沿って延びる前記容器本体の軸線を中心とする径方向であり、且つ、前記３つの方向は、互いになす角が９０度以上であり、
前記容器本体を傾けることによって、前記注ぎ口から前記収容物を注ぎ出す、請求項１ないし請求項７のいずれかに記載の容器。
【請求項９】
前記注ぎ口は、一方向に沿うスリット状であり、当該スリット状の部分は、前記軸線の周方向の成分を有する、請求項８に記載の容器。
【請求項１０】
前記注ぎ口は、前記軸線の周方向に沿うスリット状である、請求項８に記載の容器。
【請求項１１】
前記注ぎ口は、前記軸線の周方向の全周にわたって形成されたスリット状である、請求項８に記載の容器。
【発明の詳細な説明】
【技術分野】
【０００１】
本発明は、容器に関する。
【背景技術】
【０００２】
特許文献１には、液体調味料注出容器（いわゆる醤油注し）が開示されている。同文献に開示された液体調味料注出容器は、通常、直立した姿勢でテーブル等の表面に載置される。液体調味料注出容器が転倒した場合には、使用者が液体調味料注出容器を持って、液体調味料注出容器を直立した姿勢まで起き上がらせる必要があり、これは不便である。
【先行技術文献】
【特許文献】
【０００３】
【特許文献１】特開２００９−８９９１３号公報
【発明の概要】
【発明が解決しようとする課題】
【０００４】
本発明は、上記した事情のもとで考え出されたものであって、使用者にとってより使いやすい容器を提供することをその主たる課題とする。
【課題を解決するための手段】
【０００５】
本発明の第１の側面によると、収容空間が形成された容器本体と、前記収容空間につながる、前記収容空間に収容された収容物の通過路と、を備え、前記容器本体は、前記収容空間に対し前記容器本体の高さ方向上側に位置する天面を有し、前記天面は、前記収容空間を規定し、前記高さ方向に沿って延びる前記容器本体の軸線が鉛直方向に対し傾いた場合に、自力で、前記軸線が鉛直方向に一致する直立姿勢まで起き上がる、容器が提供される。
【０００６】
好ましくは、前記鉛直方向以外のいずれの方向に前記軸線が傾いている場合であっても、自力で、前記直立姿勢まで起き上がる。
【０００７】
好ましくは、前記容器本体は、球面状の外底面を有し、且つ、前記底面から凹む凹部が形成されており、前記容器本体は、前記凹部を構成する材料よりも比重の大きい材料よりなる重りを含み前記重りは、前記凹部に配置されている。
【０００８】
好ましくは、前記重りは、第１位置にて前記凹部に固定された第１状態と、第２位置にて前記凹部に固定された第２状態と、をとり、前記第２位置は、前記第１位置よりも前記高さ方向上側に位置している。
【０００９】
好ましくは、前記凹部の縁は、前記容器本体において、最も前記高さ方向下側に位置している。
【００１０】
好ましくは、前記重りは、前記第１状態であるとき、前記凹部から突出していない。
【００１１】
好ましくは、前記容器本体は、前記天面を構成し且つ前記通過路が形成された蓋体を含み、前記蓋体は、交換可能である。
【００１２】
好ましくは、前記収容物は液体であり、鉛直方向に対し前記容器本体を傾けた場合に、前記容器本体を傾けた方向に向かって、前記収容物を注ぎ出す注ぎ口を更に備え、前記注ぎ口は、前記容器本体の高さ方向視において、少なくとも３つの方向に向かって開口しており、前記３つの方向はそれぞれ、前記高さ方向に沿って延びる前記容器本体の軸線を中心とする径方向であり、且つ、前記３つの方向は、互いになす角が９０度以上であり、前記容器本体を傾けることによって、前記注ぎ口から前記収容物を注ぎ出す。
【００１３】
好ましくは、前記注ぎ口は、一方向に沿うスリット状であり、当該スリット状の部分は、前記軸線の周方向の成分を有する。
【００１４】
好ましくは、前記注ぎ口は、前記軸線の周方向に沿うスリット状である。
【００１５】
好ましくは、前記注ぎ口は、前記軸線の周方向の全周にわたって形成されたスリット状である。
【００１６】
本発明のその他の特徴および利点は、添付図面を参照して以下に行う詳細な説明によって、より明らかとなろう。
【図面の簡単な説明】
【００１７】
【図１】本発明の第１実施形態の容器の正面図である。
【図２】図１に示した容器の平面図である。
【図３】図１に示した容器の底面図である。
【図４】図２のＩＶ−ＩＶ線に沿う断面図である。
【図５】本発明の第１実施形態の容器の分解正面図である。
【図６】本発明の第１実施形態の容器の分解斜視図である。
【図７】本発明の第１実施形態の容器の使用状態を示す正面図である。
【図８】蓋体の他の例を示す正面図である。
【図９】蓋体の他の例を示す平面図である。
【図１０】本発明の第２実施形態の容器の正面図である。
【図１１】図１０に示した容器の平面図である。
【図１２】図１０に示した容器の底面図である。
【図１３】図１１のＸＩＩＩ−ＸＩＩＩ線に沿う断面図である。
【図１４】図１３の部分拡大図である。
【図１５】（ａ）は、第１実施形態を示す容器の正面図、右側面図、左側面図および背面図であり、本体部を実線で示し、それ以外の部分を破線で示したものである。（ｂ）は、第１実施形態を示す容器の平面図であり、本体部を実線で示し、それ以外の部分を破線で示したものである。（ｃ）は、第１実施形態を示す容器の底面図であり、本体部を実線で示したものである。（ｄ）は、第１実施形態を示す容器の底面図であり、本体部をハッチングを付し且つ実線で示したものである。（ｅ）は、（ｂ）のＡ−Ａ線に沿う内部機構を一部省略した断面図であり、本体部を実線で示したものである。（ｆ）は、第１実施形態を示す容器の斜視図であり、本体部を実線で示し、それ以外の部分を破線で示したものである。
【発明を実施するための形態】
【００１８】
以下、本発明の実施の形態につき、図面を参照して具体的に説明する。
【００１９】
＜第１実施形態＞
図１〜図９を用いて、本発明の第１実施形態について説明する。
【００２０】
図１は、本発明の第１実施形態の容器の正面図である。図２は、図１に示した容器の平面図である。図３は、図１に示した容器の底面図である。図４は、図２のＩＶ−ＩＶ線に沿う断面図である。図５は、本発明の第１実施形態の容器の分解正面図である。図６は、本発明の第１実施形態の容器の分解斜視図である。
【００２１】
これらの図に示す容器１０１は、収容物８６（図４参照）を収容するためのものである。収容物８６としては、液体あるいは固体が挙げられる。液体としては、たとえば液体調味料、油、液体洗剤、化粧品が挙げられる。液体調味料は、たとえば、醤油や、みりんや、酢や、ソースである。固体としては、たとえば、角砂糖やコーヒー豆が挙げられる。固体は粉体を含む。このような粉体としては、たとえば、粉末調味料（胡椒等）が挙げられる。容器１０１は載置面８９１に載置される。載置面８９１はたとえばテーブルの表面である。図４の上下方向は鉛直方向に一致する。
【００２２】
図４によく表れているように、容器１０１は、容器本体７１と、通過路７３と、を含む。
【００２３】
容器本体７１には、収容物８６を収容するための収容空間８４が形成されている。通過路７３は収容空間８４につながっている。通過路７３は、収容空間８４に収容された収容物８６を通過させる。収容空間８４に収容された収容物８６は、通過路７３を通って、容器１０１の外部に出る。
【００２４】
容器本体７１は、天面８４１と外底面７１１とを有する。
【００２５】
天面８４１は収容空間８４を規定している。天面８４１は、収容空間８４に対し容器本体７１の高さ方向Ｚ上側に位置している。すなわち、図４では、天面８４１は収容空間８４の上側に位置している。
【００２６】
外底面７１１は、容器本体７１にて、高さ方向Ｚ下側に位置している。高さ方向Ｚに沿って延びる容器本体７１の軸線Ｏｘが鉛直方向に一致しているとき、外底面７１１の一部は、載置面８９１に接している。図４に示すように、軸線Ｏｘが鉛直方向に一致している姿勢を、容器１０１の直立姿勢と呼ぶ。本実施形態においては、軸線Ｏｘが延びる平面による断面形状において、外底面７１１は円弧状を呈する。更に本実施形態においては、外底面７１１は球面状である。なお、球面状の外底面７１１は、完全な球面であることに限定されない。
【００２７】
容器本体７１には、凹部７１３が形成されている。凹部７１３は外底面７１１から凹んでいる。具体的には、凹部７１３は、外底面７１１から、収容空間８４の位置する側に向かって凹んでいる。図４に示すように、凹部７１３の縁は、容器本体７１において、最も高さ方向Ｚ下側に位置している。すなわち、図４において、凹部７１３の縁は、容器本体７１において最も下側に位置している。図３に示すように、凹部７１３の縁は円形である。本実施形態とはことなり、凹部７１３の縁は円形に限定されず、楕円形や多角形であってもよい。容器１０１が直立姿勢であるとき、凹部７１３の縁は載置面８９１に接している。
【００２８】
図４に示すように、容器本体７１は、本体部１１と、重り７１６と、蓋体７１７と、外蓋７１８と、を有する。
【００２９】
本体部１１には、収容空間８４の一部が形成されている。本実施形態において本体部１１には、上述の外底面７１１および凹部７１３が形成されている。本体部１１には雌ネジ１１９が形成されている（図６では省略）。
【００３０】
重り７１６は本体部１１に固定されており、より具体的には、重り７１６は本体部１１に直接固定されている。重り７１６は凹部７１３に配置されている。重り７１６は、凹部７１３を構成する材料よりも比重の大きい材料よりなる。本実施形態においては、凹部７１３を構成する材料は本体部１１であるので、重り７１６は、本体部１１を構成する材料よりも比重の大きい材料よりなる。凹部７１３を構成する材料（本実施形態では本体部１１を構成する材料）としては、たとえば、樹脂やガラスが挙げられる。また、重り７１６を構成する材料としては、たとえば、金属、ゴム、樹脂が挙げられる。なお、重り７１６を構成する金属としては、ステンレスやチタンや銅を用いるとよい。
【００３１】
本実施形態においては、重り７１６は、高さ方向Ｚにおいて移動可能となっている。これにより、図４に示すように、重り７１６は、第１位置にて凹部７１３に固定された状態（第１状態Ｓ１）と、第２位置にて凹部７１３に固定された状態（第２状態Ｓ２）と、をとる。第２位置は、高さ方向Ｚにおいて第１位置とは異なる。図４では、第１位置よりも第２位置の方が、高さ方向Ｚ上側に位置している。重り７１６が第１状態Ｓ１であるとき、重り７１６は、凹部７１３から突出していない。すなわち、重り７１６が第１状態Ｓ１であるとき、重り７１６の裏面は、凹部７１３の縁よりも高さ方向Ｚ上側に位置している。そのため、容器１０１が直立状態であるときに、重り７１６が載置面８９１に接触しない。本実施形態においては、重り７１６の周囲には雄ネジが形成されており、凹部７１３の内面には雌ネジが形成されている。そして、凹部７１３に対し重り７１６を回転させることにより、重り７１６の高さ方向Ｚにおける位置を変化させることができる。重り７１６を回転させやすくするために、図３に示すように、重り７１６の裏面にネジ穴を形成してもよい。なお、重り７１６が凹部７１３に固定する構成は、雄ネジと雌ネジとを用いるものには限定されない。たとえば、凹部７１３の側面の、高さ方向Ｚにて異なる位置に複数の突起を設け、且つ、重り７１６の側面に溝を設けてもよい。そして、重り７１６の当該溝に、凹部７１３に設けられた複数の突起のいずれかを嵌めこむことによって、重り７１６を凹部７１３に固定してもよい。本実施形態とは異なり、重り７１６が高さ方向Ｚにおいて移動可能でなくてもよい。
【００３２】
蓋体７１７は、本体部１１に固定されており、具体的には、本体部１１に直接固定されている。本実施形態においては、蓋体７１７は本体部１１から着脱可能に本体部１１に固定されている。本実施形態においては、蓋体７１７は、上述の天面８４１を構成している。蓋体７１７には通過路７３が形成されている。。本実施形態の通過路７３は、蓋体７１７における筒状の部分によって形成されている。蓋体７１７には、雄ネジ７１７ａが形成されている（図６では省略）。雄ネジ７１７ａは、本体部１１における雌ネジ１１９に螺合している。
【００３３】
図４、図５等に示す蓋体７１７は、収容物８６がたとえば液体調味料や油や洗剤である場合に好適である。本実施形態においては、蓋体７１７は交換可能である。すなわち、蓋体７１７を本体部１１から取り外し、本体部１１に蓋体７１７とは異なる蓋体７１７’（図８参照）を取り付けてもよい。蓋体７１７’は、液体を吸い上げるポンプ機構を備えている。蓋体７１７’においては、当該ポンプ機構に通過路７３が形成されている。蓋体７１７’におけるポンプ機構は収容物８６が液体の化粧品等である場合に、好適である。また、蓋体７１７や蓋体７１７’ではなく、蓋体７１７’’（図９参照）を本体部１１に取り付けてもよい。蓋体７１７’’には、複数の通過路７３が形成されている。各通過路７３は収容物８６が固体であっても通過可能なサイズである。このような蓋体７１７’’は、収容物８６が固体である場合に好適である。
【００３４】
なお、本実施形態では蓋体７１７が交換可能である例を示したが、本実施形態とは異なり、蓋体７１７が交換可能でなくてもよい。
【００３５】
図４〜図６等に示す外蓋７１８は、蓋体７１７に固定されている。外蓋７１８は、容器１０１が転倒したときに容器１０１の外部に収容物８６が出ることを防止するためのものである。
【００３６】
本実施形態においては、容器本体７１が重り７１６を含むので、容器本体７１の重心位置は比較的低い位置にある。そのため、図７に示すように、容器１０１が傾いた場合、すなわち、軸線Ｏｘが鉛直方向に対し傾いた場合、容器１０１は、自力で、軸線Ｏｘが鉛直方向に一致する直立姿勢まで起き上がる。厳密には、軸線Ｏｘが鉛直方向に対し傾いた場合、容器本体７１と載置面８９１との接触点を通る軸周りのモーメントの作用によって、容器１０１は直立姿勢まで起き上がる。本実施形態においては更に、鉛直方向以外のいずれの方向に軸線Ｏｘが傾いている場合であっても、容器１０１は、上述の直立姿勢まで起き上がる。換言すれば、容器１０１がどのような姿勢で載置面８９１に載置されることになっても、直立姿勢まで起き上がる。仮に、収容物８６が水であり、且つ、直立姿勢において収容物８６によって天面８４１が覆われる状態を想定する。本実施形態では、この状態にて、鉛直方向以外のいずれの方向に軸線Ｏｘが傾いても、容器１０１は、上述の直立姿勢まで起き上がることが本実施形態では可能となっている。
【００３７】
次に、本実施形態の作用効果について説明する。
【００３８】
本実施形態においては、高さ方向Ｚに沿って延びる容器本体７１の軸線Ｏｘが鉛直方向に対し傾いた場合に、自力で、軸線Ｏｘが鉛直方向に一致する直立姿勢まで起き上がる。このような構成によると、軸線Ｏｘが鉛直方向に対し多少傾いたとしても、容器１０１は直立姿勢まで起き上がる。よって、使用者が容器１０１を起き上がらせる作業を行うことを、極力回避できる。したがって、本実施形態によると、使用者にとってより使いやすい容器１０１が提供される。
【００３９】
また、外蓋７１８が蓋体７１７から取り外されているときに容器１０１が鉛直方向に対し傾いた場合に、容器１０１は自力で直立姿勢まで起き上がる。そのため外蓋７１８が取り外されている場合であっても、収容物８６が容器１０１の外部に溢れることを回避できる。また、子供や障害者でも安心して、容器１０１を用いることができる。
【００４０】
本実施形態においては、鉛直方向以外のいずれの方向に軸線Ｏｘが傾いている場合であっても、自力で、直立姿勢まで起き上がる。このような構成によると、載置面８９１上にて容器１０１がどのような姿勢であったとしても、容器１０１は直立姿勢まで起き上がる。よって、使用者が容器１０１を起き上がらせる作業を行うことを、更に回避できる。したがって、本実施形態によると、使用者にとって更に使いやすい容器１０１が提供される。
【００４１】
図４に示したように、本実施形態においては、重り７１６は、第１位置にて凹部７１３に固定された第１状態Ｓ１と、第２位置にて凹部７１３に固定された第２状態Ｓ２と、をとる。第２位置は、高さ方向Ｚにおいて第１位置とは異なる。このような構成によると、容器１０１の重心位置を高さ方向Ｚにおいて変化させることができる。よって、収容物８６の種類に応じて、容器１０１の起き上がるスピードを調整することが可能となる。また収容物８６が同一であっても、容器１０１の起き上がりスピードを、使用者の好みに応じたものに調整できる。
【００４２】
本実施形態においては、蓋体７１７は、交換可能である。このような構成によると、様々な種類の収容物８６に容器１０１を対応させることができる。
【００４３】
＜第２実施形態＞
図１０〜図１４を用いて、本発明の第２実施形態について説明する。
【００４４】
なお、以下の説明では、上記と同一もしくは類似の構成については上記と同一の符号を付し、説明を適宜省略する。
【００４５】
図１０は、本発明の第２実施形態の容器の正面図である。図１１は、図１０に示した容器の平面図である。図１２は、図１０に示した容器の底面図である。図１３は、図１１のＸＩＩＩ−ＸＩＩＩ線に沿う断面図である。図１４は、図１３の部分拡大図である。
【００４６】
容器１０２は、容器本体７１と、通過路７３（図１３参照）と、を含む。
【００４７】
本実施形態において、収容物８６は液体である。
【００４８】
図１３に示すように、容器本体７１には、収容物８６を収容するための収容空間８４が形成されている。通過路７３は収容空間８４につながっている。通過路７３は、収容空間８４に収容された収容物８６を通過させる。収容空間８４に収容された収容物８６は、通過路７３を通って、容器１０２の外部に出る。容器１０２において通過路７３は、連絡路６と、液体通過孔１３４ａ（いずれも後述）と、を含んでいる。
【００４９】
容器本体７１は、天面８４１と外底面７１１とを有する。
【００５０】
天面８４１は収容空間８４を規定している。天面８４１は、収容空間８４に対し容器本体７１の高さ方向Ｚ上側に位置している。すなわち、図１３では、天面８４１は収容空間８４の上側に位置している。
【００５１】
外底面７１１は、容器１０１におけるものと同様であるから、説明を省略する。本実施形態では、容器本体７１には凹部７１３が形成されている。凹部７１３は、容器１０１におけるものと同様であるから、説明を省略する。
【００５２】
容器本体７１は、本体部１１と、重り７１６と、蓋体７１９と、を有する。
【００５３】
本体部１１および重り７１６は、容器１０１で述べたのと同様であるから説明を省略する。
【００５４】
図１３、図１４に示すように、蓋体７１９は、蓋体下部１３と、蓋体上部１５と、弁２と、弾性部材３と、を有する。
【００５５】
図１４に示すように、蓋体下部１３は、第１筒部１３１と、第２筒部１３２と、中底部１３４と、筒状部１３５とを有する。
【００５６】
第１筒部１３１には、図１４の下方に凹む凹部が形成されている。第１筒部１３１に形成された当該凹部は、内側面１３１ａを有する。内側面１３１ａは軸線Ｏｘの位置する側を向いている。本実施形態においては、内側面１３１ａは、図１４の上方向に向かうにつれて、軸線Ｏｘから離れるように、軸線Ｏｘに対して傾斜している。
【００５７】
第２筒部１３２は、収容空間８４の一部を規定している。第２筒部１３２は、雄ネジ１３２ｂを有する。本実施形態における雄ネジ１３２ｂは、雌ネジ１１９に螺合している。蓋体下部１３には、パッキン収容溝１３６が形成されている。パッキン収容溝１３６にはパッキン８１が収容されている。
【００５８】
中底部１３４は、第１筒部１３１につながっている。本実施形態では、中底部１３４は円環状である（図示略）。中底部１３４には、複数の（図１４には、２つ示している）液体通過孔１３４ａが形成されている。複数の液体通過孔１３４ａは、軸線Ｏｘの周方向に沿って配置されている（図示略）。収容空間８４に収容された収容物８６は、液体通過孔１３４ａを通って連絡路６に流れる。
【００５９】
筒状部１３５は中底部１３４から起立している。本実施形態では、筒状部１３５は、円筒状であり、中底部１３４から高さ方向Ｚに延びている。
【００６０】
蓋体上部１５は蓋体下部１３に固定されている。蓋体上部１５は外周面１５１を有する。外周面１５１は内側面１３１ａに対向している。外周面１５１は、図１４の上方向に向かうにつれて、軸線Ｏｘから離れるように、軸線Ｏｘに対して傾斜している。
【００６１】
蓋体上部１５は複数の（図１４では２つ示している）リブ１５６を含む。図示しないが、複数のリブ１５６は軸線Ｏｘの周方向に沿って配置されており、各リブ１５６は、蓋体下部１３に形成された凹部にはめ込まれている。
【００６２】
蓋体上部１５には凹部１５３が形成されている。凹部１５３は内面１５３ａを有する。凹部１５３の内面１５３ａには、貫通穴１５４が形成されている。貫通穴１５４には、蓋体下部１３における筒状部１３５がはめ込まれている。
【００６３】
弾性部材３は、弾性のある材料よりなる。弾性部材３を構成する材料としては、たとえばシリコン樹脂や、天然ゴムや、合成ゴムを用いることができる。弾性部材３は蓋体上部１５に固定されている。弾性部材３には貫通孔３３が形成されている。貫通孔３３は、高さ方向Ｚに沿って延びている。
【００６４】
弁２は、収容空間８４から連絡路６へと流れる収容物８６の流路の開閉を行う。弁２は、液体通過不可能状態と、液体通過可能状態とをとる。弁２は、液体通過不可能状態では、複数の液体通過孔１３４ａを塞ぐ。図１４には、弁２が液体通過不可能状態である場合を示している。一方、弁２は、液体通過可能状態では、複数の液体通過孔１３４ａを塞がない。具体的な弁２の動作については、後述する。
【００６５】
弁２は、つば部２１と、起立部２２と、シャフト２３と、先端部２４と、を含む。
【００６６】
つば部２１は円環状であり、複数の液体通過孔１３４ａを塞ぐための部分である。つば部２１は、複数の液体通過孔１３４ａと収容空間８４との間に位置している。図１４に示すように、つば部２１はパッキン２１１を有していてもよい。起立部２２は、つば部２１から起立しており、本実施形態では円筒状の部位を有する。起立部２２は、蓋体下部１３における筒状部１３５の内部に配置されている。シャフト２３は起立部２２につながっている。シャフト２３は、起立部２２から容器本体７１の高さ方向Ｚに沿って延びている。シャフト２３は、弾性部材３における貫通孔３３に挿通されている。先端部２４はシャフト２３につながっている。先端部２４は、弁２のうち貫通孔３３から突出した部分である。先端部２４は押圧面２４１を有する。押圧面２４１は、収容空間８４の位置する側に、弾性部材３を押圧する面である。
【００６７】
連絡路６は、注ぎ口５と収容空間８４とを連絡している。
【００６８】
図１０、図１１、図１３、図１４に示す注ぎ口５は、鉛直方向に対し容器本体７１を傾けた場合に、容器本体７１を傾けた方向に向かって、収容空間８４に収容された収容物８６を注ぎ出すための部分である。図１１に示すように、注ぎ口５は、容器本体７１の高さ方向Ｚ視（平面視）において、少なくとも３方向（すなわち、第１方向Ｄｒ１、第２方向Ｄｒ２、および第３方向Ｄｒ３）に向かって開口している。第１方向Ｄｒ１、第２方向Ｄｒ２、および第３方向Ｄｒ３は、それぞれ、高さ方向Ｚに沿って延びる容器本体７１の軸線Ｏｘを中心とする径方向である。第１方向Ｄｒ１、第２方向Ｄｒ２、および第３方向Ｄｒ３は、互いになす角が９０度以上である。本実施形態では、第１方向Ｄｒ１と第２方向Ｄｒ２と第３方向Ｄｒ３とが互いになす角がいずれも、１２０度である例を示している。本実施形態で示した例とは異なり、第１方向Ｄｒ１と第２方向Ｄｒ２と第３方向Ｄｒ３とが互いになす角は、１２０度であることには限定されない。たとえば、第１方向Ｄｒ１と第２方向Ｄｒ２とのなす角が１００度であり、第２方向Ｄｒ２と第３方向Ｄｒ３とのなす角が１５０度であり、第３方向Ｄｒ３と第１方向Ｄｒ１とのなす角が１１０度であってもよい。図１０に示すように、本実施形態では、注ぎ口５は、一方向に沿うスリット状である。このスリット状の部分は、軸線Ｏｘの周方向の成分を有する。すなわち、当該スリット状の部分が正面視において真上に延びているのではない。本実施形態では、注ぎ口５は、軸線Ｏｘの周方向に沿うスリット状である。本実施形態においては更に、注ぎ口５は、軸線Ｏｘの周方向の全周にわたって形成されたスリット状である。そして、注ぎ口５は、高さ方向Ｚ視において、軸線Ｏｘを中心として全方向に開口している。
【００６９】
次に、容器１０２の使用方法について説明する。
【００７０】
図１３、図１４に示したように、通常の状態においては、つば部２１は、複数の液体通過孔１３４ａを塞いだ状態となっている。このとき、弁２は液体通過不可能状態にあり、収容空間８４に収容された収容物８６は、液体通過孔１３４ａを通過できない。
【００７１】
図示しないが、容器１０２の使用者が指で先端部２４を押すと、弁２は下方に移動する。弁２が下方に移動すると、つば部２１は、複数の液体通過孔１３４ａから離間する。すると、弁２は液体通過可能状態に変化し、収容空間８４に収容された収容物８６が液体通過孔１３４ａを通過可能な状態となる。収容空間８４に収容された収容物８６を注ぎたい場合、容器本体７１を傾けた状態で容器１０２の使用者が指で先端部２４を下方に押すとよい。このようにすることで、収容空間８４に収容された収容物８６が、液体通過孔１３４ａおよび連絡路６を通って、注ぎ口５から注ぎ出される。なお、容器１０２の使用者が先端部２４を押したとき、弁２における先端部２４も下方に移動し、先端部２４の押圧面２４１は弾性部材３を押圧し、弾性部材３が変形する。
【００７２】
次に、容器１０２の使用者が先端部２４から指を離すと、弾性部材３の復元力によって、先端部２４が元の位置に移動させられる。これにより、再び、つば部２１が複数の液体通過孔１３４ａを塞いだ状態に戻る（すなわち、弁２が液体通過不可能状態に戻る）。
【００７３】
次に、本実施形態の作用効果について説明する。
【００７４】
本実施形態においては、第１実施形態と同様に、軸線Ｏｘが鉛直方向に対し傾いた場合に、自力で、軸線Ｏｘが鉛直方向に一致する直立姿勢まで起き上がる。このような構成によると、容器１０１に関して述べたのと同様の理由により、使用者にとってより使いやすい容器１０２が提供される。
【００７５】
本実施形態においては、第１実施形態と同様に、鉛直方向以外のいずれの方向に軸線Ｏｘが傾いている場合であっても、自力で、直立姿勢まで起き上がる。このような構成によると、容器１０１に関して述べたのと同様の理由によって、使用者にとって更に使いやすい容器１０２が提供される。
【００７６】
本実施形態においては、第１実施形態と同様に、重り７１６は、第１位置にて凹部７１３に固定された第１状態Ｓ１と、第２位置にて凹部７１３に固定された第２状態Ｓ２と、をとる。第２位置は、高さ方向Ｚにおいて第１位置とは異なる。このような構成によると、容器１０２の重心位置を高さ方向Ｚにおいて変化させることができる。よって、収容物８６の種類に応じて、容器１０２の起き上がるスピードを調整することが可能となる。また収容物８６が同一であっても、容器１０２の起き上がりスピードを、使用者の好みに応じたものに調整できる。
【００７７】
本実施形態においては、注ぎ口５は、容器本体７１の高さ方向Ｚ視において、少なくとも３方向（すなわち、第１方向Ｄｒ１、第２方向Ｄｒ２、および第３方向Ｄｒ３）に向かって開口している。第１方向Ｄｒ１、第２方向Ｄｒ２、および第３方向Ｄｒ３はそれぞれ、高さ方向Ｚに沿って延びる容器本体７１の軸線Ｏｘを中心とする径方向である。第１方向Ｄｒ１、第２方向Ｄｒ２、および第３方向Ｄｒ３は、互いになす角が９０度以上である。このような構成によると、第１方向Ｄｒ１、第２方向Ｄｒ２、および第３方向Ｄｒ３のいずれの方向に容器本体７１を傾けた場合であっても、収容空間８４に収容された収容物８６は、注ぎ口５から注ぎ出される。よって、収容物８６を注ぐ際に、容器１０２を持ったまま回転させたり、容器１０２を持ち直したりする作業を極力回避することが可能となる。
【００７８】
収容物８６を注ぐ際に、容器１０２を持ったまま回転させたり、容器１０２を持ち直したりする作業を回避できると、数人で食卓を囲むとき、誰がどの方向から容器１０２を取っても、素早く収容物８６を注すことができる。
【００７９】
本実施形態においては、注ぎ口５は、一方向に沿うスリット状であり、このスリット状の部分は、軸線Ｏｘの周方向の成分を有する。このような構成によると、注ぎ口５は、より多くの方向に収容物８６を注ぎ出すことができる。そのため、第１方向Ｄｒ１、第２方向Ｄｒ２、および第３方向Ｄｒ３とは異なるその他の方向に容器本体７１を傾けた場合であっても、収容空間８４に収容された収容物８６は、注ぎ口５から注ぎ出される。よって、収容物８６を注ぐ際に、容器１０２を持ったまま回転させたり、容器１０２を持ち直したりする作業を更に回避することが可能となる。
【００８０】
本実施形態においては、注ぎ口５は、軸線Ｏｘの周方向に沿うスリット状である。このような構成によると、注ぎ口５は、より多くの方向に収容物８６を注ぎ出すことができる。そのため、第１方向Ｄｒ１、第２方向Ｄｒ２、および第３方向Ｄｒ３とは異なるその他の方向に容器本体７１を傾けた場合であっても、収容空間８４に収容された収容物８６は、注ぎ口５から注ぎ出される。よって、収容物８６を注ぐ際に、容器１０２を持ったまま回転させたり、容器１０２を持ち直したりする作業を更に回避することが可能となる。
【００８１】
本実施形態においては、注ぎ口５は、軸線Ｏｘの周方向の全周にわたって形成されたスリット状である。このような構成によると、容器本体７１をどの方向に傾けた場合であっても、収容空間８４に収容された収容物８６は、注ぎ口５から注ぎ出される。よって、収容物８６を注ぐ際に、容器１０２を持ったまま回転させたり、容器１０２を持ち直したりする作業をほぼ回避することが可能となる。
【００８２】
容器１０２においては、通常、弁２が液体通過不可能状態となっているから、収容物８６が液体通過孔１３４ａを通過しない。これにより、容器１０２が転倒した場合であっても、収容物８６が注ぎ口５からこぼれることを防止できる。また、弁２の開閉を調整することにより、収容物８６の注ぎ量を調整することもできる。
【００８３】
図１５（ａ）〜（ｆ）は、第１実施形態の容器における本体部１１を実線で示し、それ以外の部分を破線で示したものである。図１５（ａ）〜（ｆ）は、容器における本体部１１を、部分意匠を受けようとする部分とする意匠登録出願に変更する場合の「部分意匠を受けようとする部分」に相当する。
【００８４】
本発明は、上述した実施形態に限定されるものではない。本発明の各部の具体的な構成は、種々に設計変更自在である。
【００８５】
上述の説明では、容器１０１、容器１０２が重り７１６を備えている例を示したが、本発明はこれに限定されない。たとえば、本体部１１の形状を調整することにより、容器１０１、容器１０２の重心位置を低くしてもよい。
【００８６】
上述の説明では、通過路７３が蓋体７１７や蓋体７１９に形成されている例を示したが、本発明はこれに限定されない。たとえば、通過路７３が本体部１１に形成されていてもよい。
【００８７】
上述の説明では、容器がいずれの姿勢であっても、自力で直立姿勢まで起き上がることが好ましいが、本発明はこれに限定されない。たとえば、容器が、軸線Ｏｘが水平方向に一致する程度まで傾いた場合に自力で起き上がらないものであってもよい。
【００８８】
上述の説明では、蓋体下部１３と蓋体上部１５との間に、注ぎ口５が形成されている例を示したが、本発明はこれに限られない。たとえば、蓋体上部１５自体や、蓋体下部１３自体に注ぎ口５が形成されていてもよい。また、上述の説明では、蓋体下部１３と本体部１１とが別体である例を示したが、本発明はこれに限られない。蓋体下部１３と本体部１１とが一体となって形成されていてもよい。また、注ぎ口５が軸線Ｏｘの周方向の全周にわたって形成されている例を示したが、本発明はこれに限られない。たとえば、注ぎ口５が、軸線Ｏｘの周方向に沿うスリット状の部分を複数含む構成を採用してもよい。また、一方向に沿うスリット状とは、スリット状の部分が、軸線Ｏｘの周方向に沿っている必要はない。たとえば、スリット状の部分が軸線Ｏｘの周方向と交差する一方向に沿っていてもよい。また、注ぎ口５が周方向に沿うスリット状の部分を含むことに、本発明は限定されない。たとえば、注ぎ口５が、円形の注液孔（特許文献１参照）を少なくとも３つ以上（たとえば、５つや６つ等）含む構成を採用してもよい。これらの円形の注液孔のうちの３つが、それぞれ、第１方向Ｄｒ１、第２方向Ｄｒ２、および第３方向Ｄｒ３に向かって、開口していればよい。
【符号の説明】
【００８９】
１０１  容器
１０２  容器
１１  本体部
１１１  雌ネジ
１１９  雌ネジ
１３  蓋体下部
１３１  第１筒部
１３１ａ  内側面
１３２  第２筒部
１３２ｂ  雄ネジ
１３４  中底部
１３４ａ  液体通過孔
１３５  筒状部
１３６  パッキン収容溝
１５  蓋体上部
１５１  外周面
１５３  凹部
１５３ａ  内面
１５４  貫通穴
１５６  リブ
２  弁
２１  つば部
２１１  パッキン
２２  起立部
２３  シャフト
２４  先端部
２４１  押圧面
３  弾性部材
３３  貫通孔
５  注ぎ口
６  連絡路
７１  容器本体
７１１  外底面
７１３  凹部
７１６  重り
７１７，７１７’，７１７’’，７１９  蓋体
７１７ａ  雄ネジ
７１８  外蓋
７３  通過路
８１  パッキン
８４  収容空間
８４１  天面
８６  収容物
８９１  載置面
Ｄｒ１  第１方向
Ｄｒ２  第２方向
Ｄｒ３  第３方向
Ｏｘ  軸線
Ｓ１  第１状態
Ｓ２  第２状態
Ｚ  高さ方向
【図１】
2014147403.tif 000003
【図２】
2014147403.tif 000004
【図３】
2014147403.tif 000005
【図４】
2014147403.tif 000006
【図５】
2014147403.tif 000007
【図６】
2014147403.tif 000008
【図７】
2014147403.tif 000009
【図８】
2014147403.tif 000010
【図９】
2014147403.tif 000011
【図１０】
2014147403.tif 000012
【図１１】
2014147403.tif 000013
【図１２】
2014147403.tif 000014
【図１５】
2014147403.tif 000015
【図１３】
2014147403.tif 000016
【図１４】
2014147403.tif 000017
【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
収容空間が形成された容器本体と、
前記収容空間につながる、前記収容空間に収容された収容物の通過路と、を備え、
前記容器本体は、前記収容空間に対し前記容器本体の高さ方向上側に位置する天面を有し、前記天面は、前記収容空間を規定し、
前記高さ方向に沿って延びる前記容器本体の軸線が鉛直方向に対し傾いた場合に、自力で、前記軸線が鉛直方向に一致する直立姿勢まで起き上がり、
前記容器本体は、球面状の外底面を有し、且つ、前記底面から凹む凹部が形成されており、
前記容器本体は、前記凹部を構成する材料よりも比重の大きい材料よりなる重りを含み
前記重りは、前記凹部に配置されており、
前記重りは、第１位置にて前記凹部に固定された第１状態と、第２位置にて前記凹部に固定された第２状態と、をとり、
前記第２位置は、前記第１位置よりも前記高さ方向上側に位置している、容器。
【請求項２】
収容空間が形成された容器本体と、
前記収容空間につながる、前記収容空間に収容された収容物の通過路と、を備え、
前記容器本体は、前記収容空間に対し前記容器本体の高さ方向上側に位置する天面を有し、前記天面は、前記収容空間を規定し、
前記高さ方向に沿って延びる前記容器本体の軸線が鉛直方向に対し傾いた場合に、自力で、前記軸線が鉛直方向に一致する直立姿勢まで起き上がり、
前記容器本体は、球面状の外底面を有し、且つ、前記底面から凹む凹部が形成されており、
前記容器本体は、前記凹部を構成する材料よりも比重の大きい材料よりなる重りを含み
前記重りは、前記凹部に配置されており、
前記凹部の縁は、前記容器本体において、最も前記高さ方向下側に位置している、容器。
【請求項３】
前記鉛直方向以外のいずれの方向に前記軸線が傾いている場合であっても、自力で、前記直立姿勢まで起き上がる、請求項１または請求項２に記載の容器。
【請求項４】
前記重りは、前記第１状態であるとき、前記凹部から突出していない、請求項１に記載の容器。
【請求項５】
前記容器本体は、前記天面を構成し且つ前記通過路が形成された蓋体を含み、
前記蓋体は、交換可能である、請求項１または請求項２に記載の容器。
【請求項６】
前記収容物は液体であり、
鉛直方向に対し前記容器本体を傾けた場合に、前記容器本体を傾けた方向に向かって、前記収容物を注ぎ出す注ぎ口を更に備え、
前記注ぎ口は、前記容器本体の高さ方向視において、少なくとも３つの方向に向かって開口しており、
前記３つの方向はそれぞれ、前記高さ方向に沿って延びる前記容器本体の軸線を中心とする径方向であり、且つ、前記３つの方向は、互いになす角が９０度以上であり、
前記容器本体を傾けることによって、前記注ぎ口から前記収容物を注ぎ出す、請求項１ないし請求項５のいずれかに記載の容器。
【請求項７】
前記注ぎ口は、一方向に沿うスリット状であり、当該スリット状の部分は、前記軸線の周方向の成分を有する、請求項６に記載の容器。
【請求項８】
前記注ぎ口は、前記軸線の周方向に沿うスリット状である、請求項６に記載の容器。
【請求項９】
前記注ぎ口は、前記軸線の周方向の全周にわたって形成されたスリット状である、請求項６に記載の容器。